(57)【要約】  アイテムを固定するための器具は、ツイストタイと、ツイストタイのための伸縮自在端部とを含む。伸縮自在端部は、ツイストタイの周りに成形される。伸縮自在端部は、その内部に、アパーチャである、細長いスリットを含む。一構造では、アパーチャは、はじめの形状よりも幅が広く長さが長く伸びることができる。伸縮自在端部は、熱可塑性エラストマー（ＴＰＥ）から作られ、３０から１００ショアＡの間のデュロメータを有する。【選択図】図１
2019500290.tif 000002
【特許請求の範囲】
【請求項１】
ツイストタイと、
前記ツイストタイの周りに成形される、前記ツイストタイのための伸縮自在端部と
を備える、アイテムを固定するための器具。
【請求項２】
前記伸縮自在端部が、アパーチャを含む、請求項１に記載の器具。
【請求項３】
前記アパーチャが、前記伸縮自在端部の狭いスリットである、請求項２に記載の器具。
【請求項４】
前記アパーチャが、はじめの形状よりも幅がより広く長さがより長く伸びることができる、請求項３に記載の器具。
【請求項５】
前記伸縮自在端部が、熱可塑性エラストマー（ＴＰＥ）から作られ、３０から１００ショアＡのデュロメータを有する、請求項４に記載の器具。
【請求項６】
前記伸縮自在端部が、前記ツイストタイ上にオーバーモールドされる、請求項５に記載の器具。
【請求項７】
前記伸縮自在端部が、物体を保持するように設計され、前記伸縮自在端部の前記アパーチャが、前記物体を保持するために前記伸縮自在端部が伸びしたがって前記物体を摩擦により保持するように寸法設定される、請求項６に記載の器具。
【請求項８】
前記ツイストタイが、
形状維持変形可能材料の細長い部品と、
前記細長い部品の長さに沿って前記形状維持変形可能材料を覆うカバーであって、前記カバーと前記形状維持変形可能材料が、それらの長さに沿って接合される、カバーと、
前記カバーを覆い前記カバーに接合される外側カバーと、を含み、前記カバーが、内面を有し、前記カバーが、前記カバーの前記内面の全体に沿って前記形状維持変形可能材料の細長い部品に接合され、前記カバーが、５０ショアＡよりも大きなデュロメータを有し、前記外側カバーが、５０ショアＡ未満のデュロメータを有する、請求項７に記載の器具。
【請求項９】
前記外側カバーが、リブを有する、請求項８に記載の器具。
【請求項１０】
前記カバーおよび前記外側カバーが、熱可塑性ポリマーである、請求項８に記載の器具。
【請求項１１】
前記外側カバーが、前記カバーよりも軟らかい材料からなる、請求項８に記載の器具。
【請求項１２】
前記ツイストタイが、把持面を有する、請求項１に記載の器具。
【請求項１３】
前記把持面が、外方に延在するリブを含む、請求項１２に記載の器具。
【請求項１４】
前記カバーが、約８５ショアＡのデュロメータを有し、前記外側カバーが、約１５ショアＡのデュロメータを有する、請求項８に記載の器具。
【請求項１５】
前記外側カバーが、ツイストタイデバイスを撚り合わせるときに、物体を把持するまたは前記デバイスを把持するために、高摩擦の把持面をもたらす、請求項２に記載の器具。
【請求項１６】
物体を保持する方法であって、
アパーチャを含む伸縮自在端部を有するツイストタイを用意するステップと、
前記物体が前記アパーチャ内に位置するように前記物体の周りで前記伸縮自在端部を伸ばすステップと
を含む、方法。
【請求項１７】
前記物体を、ツイストタイのツイストタイ端部で包むステップをさらに含む、請求項１６に記載の方法。
【請求項１８】
前記物体が、コードであり、前記伸縮自在端部が、前記コードの周りに配置され、前記コードは巻かれ、そして、前記コードが、前記包むステップによって保持される、請求項１６に記載の方法。
【請求項１９】
前記アパーチャが、前記伸縮自在端部の狭いスリットである、請求項１８に記載の方法。
【請求項２０】
前記アパーチャが、はじめの形状よりも幅が広く長さが長く伸びることができる、請求項１９に記載の方法。
【請求項２１】
前記伸縮自在端部が、熱可塑性エラストマー（ＴＰＥ）から作られ、３０から１００ショアＡの間のデュロメータを有する、請求項２０に記載の方法。
【請求項２２】
前記伸縮自在端部が、前記ツイストタイ上にオーバーモールドされる、請求項２１に記載の器具。
【発明の詳細な説明】
【技術分野】
【０００１】
【背景技術】
【０００２】
[0001]ツイストタイは、様々な物体を固定し保持することに使用することができる。物体が有用な位置で固定され得るように、様々な一時的およびより恒久的な構成で、特に性能特性が最上位であるツイストタイを取り付けることは使用者にとって望ましい。
【発明の概要】
【課題を解決するための手段】
【０００３】
[0002]一実施形態では、アイテムを固定するための器具は、ツイストタイと、ツイストタイの周りに成形される、ツイストタイのための伸縮自在端部とを含む。任意選択で、伸縮自在端部は、アパーチャを含む。あるいは、アパーチャは、伸縮自在端部の狭いスリットである。一構造では、アパーチャは、はじめの形状よりも幅がより広く長さがより長く伸びることができる。任意選択で、伸縮自在端部は、熱可塑性エラストマー（ＴＰＥ）から作られ、３０から１００ショアＡのデュロメータを有する。一代替実施形態では、伸縮自在端部は、ツイストタイ上にオーバーモールドされる。他の代替実施形態では、伸縮自在端部は、物体を保持するように設計され、伸縮自在端部のアパーチャは、物体を保持するために伸縮自在端部が伸びしたがって物体を摩擦により保持するように寸法設定される。あるいは、ツイストタイは、形状維持変形可能材料の細長い部品と、細長い部品の長さに沿って形状維持変形可能材料を覆うカバーであってカバーと形状維持変形可能材料がそれらの長さに沿って接合されるカバーと、カバーを覆いカバーに接合される外側カバーと、をさらに含む。カバーは、内面を有し、カバーの内面の全体に沿って形状維持変形可能材料の細長い部品に接合される。カバーは、５０ショアＡよりも大きなデュロメータを有し、外側カバーは、５０ショアＡ未満のデュロメータを有する。任意選択で、外側カバーは、リブを有する。あるいは、カバーおよび外側カバーは、熱可塑性ポリマーである。一構造では、外側カバーは、カバーよりも軟らかい材料からなる。任意選択で、ツイストタイは、把持面を有する。一代替実施形態では、把持面は、外方に延在するリブを含む。任意選択で、カバーは、約８５ショアＡのデュロメータを有し、外側カバーは、約１５ショアＡのデュロメータを有する。あるいは、外側カバーは、デバイスを撚り合わせるときに、物体を把持する、またはツイストタイデバイスを把持するために、高摩擦の把持面をもたらす。
【０００４】
[0003]一実施形態では、物体を保持する方法は、アパーチャを含む伸縮自在端部を有するツイストタイを用意するステップと、物体がアパーチャ内に位置するように物体の周りで伸縮自在端部を伸ばすステップとを含む。任意選択で、方法は、物体を、ツイストタイのツイストタイ端部で包むステップをさらに含む。一代替実施形態では、物体はコードであり、伸縮自在端部はコードの周りに配置され、コードは巻かれ、そして、コードが包むステップによって保持される。他の代替実施形態では、アパーチャは、伸縮自在端部の狭いスリットである。あるいは、アパーチャは、はじめの形状よりも幅が広く長さが長く伸びることができる。任意選択で、伸縮自在端部は、ＴＰＥから作られ、３０から１００ショアＡの間のデュロメータを有する。あるいは、伸縮自在端部は、ツイストタイ上にオーバーモールドされる。
【図面の簡単な説明】
【０００５】
【図１】[0004]ツイストタイ、具体的には、アパーチャを含む伸縮自在端部を含むツイストタイの一実施形態の図である。
【図２】[0005]図１のツイストタイの上面図である。
【図３】[0006]図１のツイストタイの側面図である。
【図４】[0007]伸縮自在端部内にＵＳＢコードを保持している、図１のツイストタイの図である。
【図５】[0008]ヘッドホンコードを保持している、図１のツイストタイの図である。
【図６】[0009]図１のツイストタイのツイストタイ部の断面図である。
【発明を実施するための形態】
【０００６】
[0010]本明細書において、特定の専門用語を便宜のためだけに使用しているが、コードホルダのこれらの実施形態についての限定とみなすべきではない。図面において、同じ参照文字がいくつかの図面を通して同じ要素を示すために採用されている。
【０００７】
[0011]図１は、ツイストタイ、具体的には、アパーチャ１２０を含む伸縮自在端部を含むツイストタイ１００の一実施形態を示している。伸縮自在端部を含むツイストタイ１００は、ツイストタイ部１０５と、伸縮自在端部１１０とを含む。伸縮自在端部１１０は、アパーチャ１２０を含む。別法として、あらゆる長さのツイストタイ部を使用することもできる。ツイストタイ部１０５の端部には、使用者がツイストタイ１００を巻いて固定しやすくするエンドキャップ１１５がある。伸縮自在端部を含むツイストタイ１００は、ツイストタイ部１０５の周りに伸縮自在端部１１０を成形することによって形成される。伸縮自在端部１１０は、これらに限定されないが、プラスチック、ゴムまたはナイロンなどを含む様々な材料からなってよい。図示の実施形態では、伸縮自在端部１１０は、５０ショアＡのデュロメータを有する熱可塑性エラストマー（ＴＰＥ）からなる。図示の実施形態では、ツイストタイ部１０５は、Ｇｅａｒ  Ｔｉｅ（商標）ツイストタイであり、その機能を向上させる独特な特徴を含む。Ｇｅａｒ  Ｔｉｅ（商標）ツイストタイは、５０ショアＡ未満のデュロメータを有する、より軟らかいデュロメータの外側プラスチック層を含み、５０ショアＡより高いデュロメータの、より硬い内側プラスチック層を有する。さらに、内側層はワイヤに接合され、外側層は内側層に接合される。内側層は、高密度ポリエチレンからなってよい。接着剤は、内側層をワイヤに結合するのに使用され得る。伸縮自在端部を含むツイストタイ１００のいくつかの代替実施形態では、ツイストタイ部は、１００ショアＡ未満のデュロメータのより軟らかい外側層を有する。いくつかの代替実施形態では、この外側のデュロメータは、５０ショアＡ未満である。より軟らかい外側プラスチック層を有するこれらの実施形態では、ツイストタイ部は、アパーチャ１２０を貫通され得る。デュロメータが外側層においてより軟らかい場合には、この構成はわずかに外側層を圧縮し、結果的にループ状構造をしっかりと保持することができる。この代替実施形態およびその他の関連する代替実施形態では、伸縮自在端部１１０のアパーチャは、ツイストタイ部１００を収容するように寸法設定され得る。アパーチャは、ツイストタイ１００の直径よりもわずかに小さく作られる。さらに、伸縮自在端部１１０のアパーチャは、ツイストタイがアパーチャに通されたときにツイストタイ１００の把持を追加することができる突起または歯を含むこともできる。多くの実施形態において、ツイストタイ部１０５がまず形成され、そのツイストタイ部１０５上に伸縮自在端部１１０がオーバーモールドされる。
【０００８】
[0012]図２および図３は、ツイストタイ１００のさらなる図である。図で見られるように、伸縮自在端部１１０のプロファイルは、全体的に、上または下から見ると楕円形であり、側方から見ると全体的に矩形である。代替実施形態では、両方のプロファイルについて、多くの他の形状が可能である。側方からの狭いスリットのある矩形断面は、一般的に、材料を最小限に抑えた向上した保持特徴をもたらすと考えられる。注目すべきは、ツイストタイ部１０５の外側層が、５０Ａショアのデュロメータを有するＴＰＥからなることである。さらに、伸縮自在端部１１０は、５０Ａショアのデュロメータを有するＴＰＥからなる。ツイストタイ部１０５は、それに対する剛性を追加する内側ワイヤを含む。さらに、ツイストタイ部１０５の接合性（ｂｏｎｄｅｄ  ｎａｔｕｒｅ）は、剛性を増加させる。その一方、伸縮自在端部１１０は、いかなる剛性の機能も含まないので、物体の周りに適合するように伸び、それらをしっかりと保持することができる。このいくつかの例は、図４および図５において見られる。図４では、伸縮自在端部１１０は、ＵＳＢプラグ４１０を取り囲んで伸びている。したがって、ツイストタイ１００は、ＵＳＢプラグ４１０の使用中、それに対して取り付けられたままになる。ＵＳＢプラグ４１０がそれ以上使用されないときは、伸縮自在端部によりＵＳＢプラグ４１０に取り付けられているツイストタイ１００は、コードに巻き付けられそれを固定することに使用され得る。
【０００９】
[0013]図５は、そのような使用の一例を示している。図５に示されるシナリオでは、ヘッドホンコード５１０が、ツイストタイ１００を用いて固定されている。伸縮自在端部１１０は、ヘッドホンコード５１０の周りに適合するように伸ばされ、それを保持している。コードが使用中ではないので、ツイストタイ部１０５は、巻かれたヘッドホンコード５１０の周りに巻き付けられている。コードがほどかれたとき、伸縮自在端部１１０は、ヘッドホンコード５１０に取り付けられたままになる。
【００１０】
[0014]伸縮自在端部１１０およびアパーチャ１２０の寸法は、その動作を向上させる。本明細書における１つの教示は、伸縮自在端部１１０およびアパーチャ１２０の寸法は、材料のデュロメータと適合するように設計される、ということである。一般に、本明細書の実施形態では、アパーチャのサイズおよび幅は、予想される物体を保持するために伸びるように設計される。したがって、アパーチャの長さおよび幅は、材料のデュロメータおよび予想される物体に相応する。図示の実施形態では、伸縮自在端部は、全体的に、たとえばコード端のような小さな物体を保持するように設計される。したがって、材料のデュロメータは、約５０ショアＡに設定される。この目的のため、アパーチャの長さは、一般に、０．５から３ｃｍの範囲内である。図示の実施形態では、長さは、約１１．４３ｍｍである。アパーチャの幅は、約１．１２ｍｍであり、この目的のための実施形態の場合、０．５から５ｍｍの範囲内である。伸縮自在端部の全体の幅は、約４．１ｍｍであり、一般に、２から１０ｍｍの範囲内である。伸縮自在端部の全体の奥行は、約６．３５ｍｍであり、この目的のための実施形態の場合、２から４ｍｍの範囲に入る。材料のデュロメータを考慮したそのような寸法は、伸縮自在端部が物体を取り囲むように伸びそれらをしっかりと保持することができるようにする。より大きなサイズのホルダについて、いくつかの実施形態では、伸縮自在端部の寸法の比例したサイズと同様に、デュロメータが増加される。多くの実施形態では、「伸縮自在端部」は、端部の長さおよび幅が１／２、２、５、１０またはその間の任意の倍数伸びることができることを意味する。
【００１１】
[0015]図６は、ツイストタイ部の断面を示している。上述したように、外側層４は、ＴＰＥから作られ、典型的には、１００ショアＡ未満、少なくとも３０ショアＡまでの範囲内のデュロメータを有する。内側層３は、典型的には、５０ショアＡ以上のデュロメータを有する高密度ポリエチレンからなる。接着層２は、内側層３をワイヤ１に接合する助けとなることができる。加熱押出法は、層の接合性を促進させることができる。
【００１２】
[0016]具体的な実施形態を上述した詳細な説明に詳しく記載し、添付図面に示したが、それらの詳細に対する様々な修正形態および代替形態は、本開示の全体の教示および本発明の広範な概念を考慮して創り出されることが当業者には理解されよう。したがって、本開示の範囲は本明細書に開示の特定の例および実行例に限定されず、添付した特許請求の範囲によって定義される本開示の趣旨および範囲に入る修正例、および、そのありとあらゆる均等物を包含することを意図するものであると理解されよう。
【図１】
2019500290.tif 000003
【図２】
2019500290.tif 000004
【図３】
2019500290.tif 000005
【図４】
2019500290.tif 000006
【図５】
2019500290.tif 000007
【図６】
2019500290.tif 000008
【国際調査報告】
2019500290.tif 000009